(57)【特許請求の範囲】
【請求項１】
通信機器の電子部品を収容するベースに取付けられる小勢力端子であって、前記小勢力端子は、小勢力信号線の導電先端部の各々を接続ネジを用いて固着させる導電端子台のそれぞれを独立させて収容する複数の区画壁空間を形成した端子台収容窓孔部と、前記端子台収容窓孔部の裏面に取り付けられ、導電端子台が実装された端子台回路基板とを組み合わせて構成されており、前記端子台収容窓孔部の一方端には、前記ベースより、前記通信機器の電子部品を収容するカバーに螺入される止めネジを挿入するネジ挿入孔が形成され、他端には、前記端子台回路基板側より螺入される止めネジを受け入れるネジ受部が形成されており、前記端子台回路基板が、前記ベース側に形成した係止爪でベース内に固定されるとともに、前記カバーの内面に形成された押圧突片で押え止めさせた構造としている、小勢力端子。
【請求項２】
前記端子台回路基板が、前記電子部品を実装させた回路基板の一部に予め切込みを形成した部分を切断分割して構成される、請求項１に記載の小勢力端子。
【請求項３】
請求項１または請求項２に記載の小勢力端子を設けた、通信機器。
【請求項４】
請求項１または請求項２に記載の小勢力端子を設けた、ハンズフリーインタホン。
【請求項５】
請求項３に記載の通信機器において、通信機器の電子部品を収容するベースに収容された回路基板の切欠抜取り部に、導電端子台が実装された端子台回路基板を前記ベースに形成した係止爪で係止させるとともに、通信機器の電子部品を収容するカバーの内面に突設した押圧突片で押え止した構造とした、通信機器。
【請求項６】
請求項４に記載のハンズフリーインタホンにおいて、通信機器の電子部品を収容するベースに収容された回路基板の切欠抜取り部に、導電端子台が実装された端子台回路基板を前記ベースに形成した係止爪で係止させるとともに、前記通信機器の電子部品を収容するカバーの内面に突設した押圧突片で押え止した構造とした、ハンズフリーインタホン。
【発明の詳細な説明】
【０００１】
【発明の属する技術分野】
本発明は、小勢力端子、通信機器、ハンズフリーインターホンに関し、特に、部品点数を少なくし且つ組立作業を容易にした小勢力端子、この小勢力端子を用いた通信機器、この小勢力端子を用いたハンズフリーインターホンに関する。
【０００２】
【従来の技術】
近時、玄関に設けられたドアホン子器と室内親器とを備え、ドアホン子器と室内親器との間で通話が行えるようにしたインターホンシステム等の種々の通信機器が開発されている。図７は、そのようなインターホンシステムの一例を概略的に示す構成図であり、このインターホンシステムＡは、玄関等に設けられ、カメラ１１ａ、呼出スイッチ１１ｂ、通話のためのマイク（図示せず）及びスピーカ１１ｃ等を備えるドアホン子器１１と、ドアホン子器１１のカメラが撮像した映像を表示するモニターテレビ１２ａ、モニターテレビ１２ａをオンにするモニタースイッチ１２ｂ等を備えるテレビユニット１２と、ドアホン子器１１と通話をするための通話ボタン１３ａ、通話のためのマイク（図８（ｃ）に示すマイク１３ｂ）及びスピーカ１３ｃ等を備える親器１３を備える。
【０００３】
尚、このインターホンシステムＡには、更に、親器１３と同様の構成を有する副親器１４を１以上増設できるようになっている。このインターホンシステムＡでは、親器１３として、ハンズフリーインターホンを採用しているので、例えば、不意に来客があって、室内にいる応対者の両手がふさがっていても、親器１３の通話ボタン１３ａを押すだけで、来客と、受話器なしに対話したり、また、副親器１４を増設すれば、親器１３の通話ボタン１３ａを押したり、副親器１４の通話ボタン１４ａを押すだけで、受話器なしに、親器１３と副親器１４との間の通話ができるようになっている。
【０００４】
図８は、親器１３の外観を更に詳しく説明する図であり、親器１３は、カバーＣとベースＢとを備え、カバーＣとベースＢとの内部に、親器１３を動作させる電子部品（図１０に示す電子部品ｄ、・・・、ｄ）が実装された回路基板（図１０に示す回路基板１６）や、スピーカ１３ｃ等が内蔵された構成になっている。尚、図８（ｃ）中、１３ｆで示す部材装置は、呼出音のボリュームを調整する調整つまみを示している。
【０００５】
図９は、ベースＢを外側から見た概略的な平面図を示しており、ベースＢには、親器１３をドアホン子器１１等に接続する端子を収容する小勢力端子１０１が設けられている。そして、従来の小勢力端子１０１は、図９及び図１０に示すように、ベースＢに一体成形され、小勢力信号線の導電先端部の各々を接続ネジｖ１、・・・、ｖ１を用いて固着させる導電端子台ｓ、・・・、ｓのそれぞれを独立させて収容する複数の区画壁空間１０２ｂ、・・・、１０２ｂを形成した端子台収容窓孔部１０２に、親器１３を動作させる電子部品が実装された回路基板１６の電子部品ｄ、・・・、ｄが実装された表面に対向する裏面に取り付けられた導電端子台ｓ、・・・、ｓのそれぞれを独立させて収容し、端子台収容窓孔部１０２の両端１０２ｅ、１０２ｅに設けられたネジ挿入孔１０２ｈ、１０２ｈの各々に、回路基板１６の上方から止めネジｖ２、ｖ２の各々を螺合させた構造となっている。
【０００６】
尚、ここでは、親器１３の小勢力端子１０１の構造について説明したが、親器１３にかぎられず、副親器１４を始め他の通信機器の小勢力端子も小勢力端子１０１と同様の構成が専ら採用されている。
【０００７】
【発明が解決しようとする課題】
しかしながら、従来の小勢力端子１０１では、ベースＢに導電端子台ｓ、・・・、ｓのそれぞれを独立させて収容する複数の区画壁空間１０２ｂ、・・・、１０２ｂを形成した端子台収容窓孔部１０２を形成し、この端子台収容窓孔部１０２に、回路基板１６のうち、導電端子台ｓ、・・・、ｓを取り付けた部分を合致させて止めネジｖ２、ｖ２で固定している。
【０００８】
このため、端子台収容窓孔部１０２と導電端子台ｓ、・・・、ｓを取り付けた回路基板１６の部分との隙間が殆ど無い上に、複数の区画壁空間１０２ｂ、・・・、１０２ｂの各々に導電端子台ｓ、・・・、ｓの各々が収容されるように正確に位置合わせを行って、２本の止めネジｖ２、ｖ２で強固に固定する必要がある。
【０００９】
更に、従来の小勢力端子１０１では、回路基板１６の電子部品ｄ、・・・、ｄが実装された表面に対向する裏面に導電端子台ｓ、・・・、ｓを取り付けているため、回路基板１６の表面に電子部品ｄ、・・・、ｄを実装し、その後、電子部品ｄ、・・・、ｄの回路基板１６の裏面に突出している電子部品ｄ、・・・、ｄの端子を裏面側に半田付けし、回路基板１６の裏面に導電端子台ｓ、・・・、ｓを取り付けて、導電端子台ｓ、・・・、ｓの回路基板１６の表面に突出している導電端子台ｓ、・・・、ｓ端子を表面側に半田付けするといったような組立作業や、手作業により、導電端子台ｓ、・・・、ｓと電子部品との間を接続するためのジョイント線の取り付けをしなければならず、従来の小勢力端子１０１には、組立が手作業になり面倒であるうえに、２本の止めネジｖ２、ｖ２を必要としているため、ネジ止め作業にも手間がかかるといったことが原因して、親器１３を始めとして、小勢力端子１０１を有する通信機器は、いずれも製造コストが高くなってしまうという問題がある。
【００１０】
本発明は、以上のような問題を解決するためになされたものであって、部品点数を少なくするとともに、組立が容易で、ネジ止めの作業数を減らすことができるようにした、小勢力端子、この小勢力端子を用いた通信機器、この小勢力端子を用いたハンズフリーインターホンを提供することを目的としている。
【００１１】
【課題を解決するための手段】
請求項１に記載の小勢力端子は、通信機器の電子部品を収容するベースに取付けられる小勢力端子であって、小勢力端子は、小勢力信号線の導電先端部の各々を接続ネジを用いて固着させる導電端子台のそれぞれを独立させて収容する複数の区画壁空間を形成した端子台収容窓孔部と、端子台収容窓孔部の裏面に取り付けられ、導電端子台が実装された端子台回路基板とを組み合わせて構成されており、端子台収容窓孔部の一方端には、ベースより、通信機器の電子部品を収容するカバーに螺入される止めネジを挿入するネジ挿入孔が形成され、他端には、端子台回路基板側より螺入される止めネジを受け入れるネジ受部が形成されており、端子台回路基板が、ベース側に形成した係止爪でベース内に固定されるとともに、カバーの内面に形成された押圧突片で押え止めさせた構造としている。
【００１２】
ここに、本明細書で用いる用語「小勢力端子」は、低い電圧（例えば、ＤＣ１２Ｖ、ＤＣ５Ｖ程度）で動作させる、例えば、ドアホン子器や増設用スピーカなどの小電力機器を接続して電源を供給するために使用する入、出力端子を意味する。請求項２に記載の小勢力端子は、請求項１に記載の小勢力端子の端子台回路基板が、電子部品を実装させた回路基板の一部に予め切込みを形成した部分を切断分割して構成される。
【００１３】
請求項３に記載の通信機器は、請求項１または請求項２に記載の小勢力端子を設けた。請求項４に記載のハンズフリーインタホンは、請求項１または請求項２に記載の小勢力端子を設けた。請求項５に記載の通信機器は、請求項３に記載の通信機器において、通信機器の電子部品を収容するベースに収容された回路基板の切欠抜取り部に、導電端子台が実装された端子台回路基板をベースに形成した係止爪で係止させるとともに、通信機器の電子部品を収容するカバーの内面に突設した押圧突片で押え止した構造とした。
【００１４】
請求項６に記載のハンズフリーインタホンは、請求項４に記載のハンズフリーインタホンにおいて、通信機器の電子部品を収容するベースに収容された回路基板の切欠抜取り部に、導電端子台が実装された端子台回路基板をベースに形成した係止爪で係止させるとともに、通信機器の電子部品を収容するカバーの内面に突設した押圧突片で押え止した構造とした。
【００１５】
【発明の実施の形態】
以下、図面を参照しながら、本発明に係る小勢力端子について更に詳しく説明する。ここでは、インターホンシステムの親器に設けられる小勢力端子を例にして説明する。また、説明を容易とするため、インターホンシステムＡの親器と同一の部材装置については、相当する参照符号を用いて説明する。
【００１６】
図１は、本発明に係る小勢力端子を親器のベースに設けた例を示しており、図２は、本発明に係る小勢力端子を設けた親器の概略的な断面図であり、また、図３は、カバーの内面を概略的に示す平面図である。図１〜図３を参照しながら、本発明に係る小勢力端子を説明すると、この小勢力端子１は、ベースＢに一体成形され、小勢力信号線の導電先端部の各々を接続ネジｖ１、・・・、ｖ１を用いて固着させる導電端子台ｓ、・・・、ｓのそれぞれを独立させて収容する複数の区画壁空間２ｂ、・・・、２ｂを形成した端子台収容窓孔部２と、端子台収容窓孔部２の裏面に取り付けられる、導電端子台ｓ、・・・、ｓが実装された端子台回路基板３とを組み合わせて構成されている。
【００１７】
端子台収容窓孔部２の一方端には、親器１３のベースＢよりカバーＣに螺入される止めネジｖ３を挿入するネジ挿入孔２ｈ１が形成され、他端には、端子台回路基板３側より螺入される止めネジｖ２を受け入れるネジ受部２ｈ２が形成されている。また、ベースＢには、端子台収容窓孔部２の近傍に、係止爪４、４がベースＢの内面側に起立するように、ベースＢに一体成形されている。係止爪４、４は、端子台収容窓孔部２の上端から端子台回路基板３の厚さ程度高い位置に設けられており、端子台回路基板３を端子台収容窓孔部２の上方に位置して、係止爪４、４に差し込むと、係止爪４、４により、端子台収容窓孔部２の上方に、端子台回路基板３を固定できるようになっている。
【００１８】
また、カバーＣに、新たに、カバーＣの内面に押圧突片５を一体成形し、端子台回路基板３をベースＢ側に形成した係止爪４、４でベースＢ内に固定し、端子台収容窓孔部２のネジ挿入孔２ｈ１から止めネジｖ３をカバーＣの所定の位置に一体成形されたネジ挿入孔Ｃｈに螺入して、ベースＢにカバーＣを取り付けると、カバーＣの内面に形成された押圧突片５で端子台回路基板３が押え止めされるようにしている。
【００１９】
この小勢力端子１を組み立てる際には、まず、図４に示すように、導電端子台ｓ、・・・、ｓが実装された端子台回路基板３を準備し、導電端子台ｓ、・・・、ｓを、ジョイント線Ｊを用いて、回路基板６に実装され且つ導電端子台ｓ、・・・、ｓの各々を接続すべき電子部品と接続し、その後、端子台回路基板３に実装された導電端子台ｓ、・・・、ｓが端子台収容窓孔部２の方向を向くようにし、端子台収容窓孔部２に設けられた複数の区画壁空間２ｂ、・・・、２ｂの各々に導電端子台ｓ、・・・、ｓの各々が一つずつ納まるように、端子台回路基板３を係止爪４、４で固定し、端子台回路基板３の上方より、止めネジｖ２を、端子台収容窓孔部２の他端に設けられたネジ受部２ｈ２に螺合して、端子台収容窓孔部２上に端子台回路基板３を固定する。その後、止めネジｖ３を 端子台収容窓孔部２の一方端に設けられたネジ挿入孔２ｈ１に挿入し、カバーＣの所定の位置に一体成形されたネジ挿入孔Ｃｈに螺入して、ベースＢにカバーＣを取り付ける（図１を参照）。
【００２０】
この小勢力端子１では、上記の説明から明らかなように、端子台収容窓孔部２へ端子台回路基板３を固定する際に用いる止めネジを、止めネジｖ２の一本にすることができる。また、ベースＢやカバーＣの内面形状は、複雑になるものの、ベースＢに露呈する止めネジが少なくなるため、外観がスマートになる。
【００２１】
また、端子台回路基板３は、１本の止めネジｖ２と、ベースＢに形成した少なくとも１組の押片４、４とによって、端子台収容窓孔部２に隙間のない状態に固定される。更に、この小勢力端子１では、ベースＢにカバーＣを取り付けると、端子台回路基板３がカバーＣ側からは、その内面に突設した押圧突片５によって押え付けられるので、端子台回路基板３が端子台収容窓孔部２に隙間のない状態にしっかりと固定されることになる。
【００２２】
且つ、端子台回路基板３は、電子部品が実装された回路基板６の切欠抜取り部６ｆに納められるので、省スペース化が可能となる。また、端子台収容窓孔部２に形成された窓孔２ｂ、・・・、２ｂの範囲内において、小勢力端子の導電端子台ｓ、・・・、ｓの数を変更することもできる。次に、導電端子台ｓ、・・・、ｓが実装された端子台回路基板３を製造する好ましい方法について説明する。
【００２３】
図５は、導電端子台ｓ、・・・、ｓが実装された端子台回路基板３を製造する製造工程を模式的に示す工程図である。まず、図５（ａ）に示すように、回路基板６を準備し、回路基板６の表面に、電子部品ｄ、・・・、ｄを取り付けるとともに、端子台回路基板３を作製する領域に、導電端子台ｓ、・・・、ｓを取り付け、その後、長めのジョイント線Ｊを用いて、導電端子台ｓ、・・・、ｓの各々と回路基板の表面に取り付けられ、導電端子台ｓ、・・・、ｓの各々を接続すべき電子部品と配線接続する。
【００２４】
次ぎに、表面に、電子部品ｄ、・・・、ｄ、導電端子台ｓ、・・・、ｓ、及び、ジョイント線Ｊが取り付けられた回路基板６を半田槽に侵清され、回路基板６の裏面側に突出している、電子部品ｄ、・・・、ｄ、導電端子台ｓ、・・・、ｓ、及び、ジョイント線Ｊの端子を自動半田付けする（図５（ｂ）を参照）。
【００２５】
次ぎに、回路基板６から、端子台回路基板３となる領域を分割切断し（図５（ｃ）を参照）、次いで、端子台回路基板３を回路基板６の端部方向に半回転させる（図５（ｄ）を参照）。すると、端子台回路基板３に実装された導電端子台ｓ、・・・、ｓが、回路基板６の表面に設けられた電子部品ｄ、・・・、ｄと反対側に位置するので（図６を参照）、図１に示すように、端子台収容窓孔部２に設けられた複数の区画壁空間２ｂ、・・・、２ｂの各々に導電端子台ｓ、・・・、ｓの各々が一つずつ納まるように、端子台回路基板３を端子台収容窓孔部２に容易に固定できる。
【００２６】
この製造方法を用いれば、端子台回路基板３を自動半田付けと分割切断により製造できるので、ジョイント線の配線も自動半田付けにより終了しているので、従来の、回路基板６の電子部品ｄ、・・・、ｄが実装された表面に対向する裏面に導電端子台ｓ、・・・、ｓを取り付けているため、回路基板１６の表面に電子部品ｄ、・・・、ｄを実装し、その後、電子部品ｄ、・・・、ｄの回路基板１６の裏面に突出している電子部品ｄ、・・・、ｄの端子を裏面側に半田付けし、回路基板１６の裏面に導電端子台ｓ、・・・、ｓを取り付けて、導電端子台ｓ、・・・、ｓの回路基板６の表面に突出している導電端子台ｓ、・・・、ｓ端子を表面側に半田付けするといったような複雑な組立作業や、導電端子台ｓ、・・・、ｓと電子部品との間を接続するためのジョイント線の取り付けを手作業によって行う必要が無くなるので、作業性が向上し、親器１３の製造コストを低く抑えることができる。
【００２７】
尚、発明の実施の形態では、ハンズフリーインターホンを例に挙げたが、これは、単なる例示であって、本発明に係る小勢力端子は、ハンズフリーインターホン以外の通信機器に適用できるものであることは言うまでもない。
【００２８】
【発明の効果】
以上、詳細に説明したように、請求項１に記載の小勢力端子では、導電端子台が実装された端子台回路基板を端子台収容窓孔部に取り付ける際に、止めネジの本数を少なくでき、これにより、ベース、カバーの表面に露呈する止めネジが少なくなるため、外観もスマートになる。また、組み立てる際にも、導電端子台が実装された端子台回路基板を、電子部品を実装させた回路基板と別体に設ける構成としたので、導電端子台が実装された端子台回路基板を端子台収容窓孔部に取り付ける際の位置合わせが容易になり、且つ、端子台回路基板を端子台収容窓孔部にネジ止めする際に、係止爪により、端子台収容窓孔部上の所定の位置に端子台回路基板を仮止めできるので、端子台回路基板を端子台収容窓孔部にネジ止めも極めて容易となる。
【００２９】
また、請求項２に記載の小勢力端子では、端子台回路基板を、電子部品を実装させたメインの回路基板の一部に予め切込みを形成した部分を切断分割して構成しているので、まず、回路基板の端子台回路基板を形成する領域への導電端子台に実装と、メイン回路を構成する電子部品の実装と、導電端子台と導電端子台に接続される電子部品とのジョイント線との接続とを、同時に、自動半田によって行うことができる。また、回路基板から端子台回路基板を分離切断すれば、導電端子台が実装され端子台回路基板を製造でき、導電端子台と導電端子台に接続される電子部品とのジョイント線との接続も終了しているので、小勢力端子の組立が極めて容易なものとなる。
【００３０】
また、請求項１又は請求項２に記載の小勢力端子を用いれば、小勢力端子を構成する部品点数を減らし、また、小勢力端子の組立を容易にできるので、通信機器、ハンズフリーインターホンの製造コストを低く抑えることができる（請求項３及び請求項４）。請求項５に記載の通信機器及び請求項６に記載のハンズフリーインターホンでは、小勢力端子を構成する端子台回路基板を、電子部品が実装された回路基板と独立に設けたので、その部分を取り替えることによって、小勢力端子の仕様変更が容易にできる。且つ、端子台回路基板は、電子部品が実装された回路基板の回路基板の切欠抜取り部に納められるので、省スペース化が可能となる。また、端子台収容窓孔部に形成された窓孔の範囲内において、小勢力端子の導電端子台の数を変更することもできる。
【００３１】
また、端子台回路基板は、１本の止めネジと、ベースに形成した少なくとも押片とによって、端子台収容窓孔部に隙間のない状態に固定される。更に、ベースにカバーを取り付けると、端子台回路基板がカバー側からは、その内面に突設した押突片によって押え付けられるので、端子台回路基板が端子台収容窓孔部に隙間のない状態にしっかりと固定される。
【図面の簡単な説明】
【図１】本発明に係る小勢力端子の構成を概略的に示す分解斜視図である。
【図２】本発明に係る小勢力端子を設けた親器の概略的な断面図である。
【図３】親器のカバーの内面を概略的に示す平面図である。
【図４】本発明に係る小勢力端子を構成する、導電端子台が実装された端子台回路基板を概略的に示す斜視図である。
【図５】導電端子台が実装された端子台回路基板を製造する製造工程を模式的に示す工程図であり、図５（ａ）〜図５（ｄ）の各々の、向かって右側には、模式的な断面図を、又、左側に模式的な平面図を示す。
【図６】導電端子台が実装された端子台回路基板と、電子部品が実装された回路基板とを概略的に示す平面図である。
【図７】インターホンシステムの一例を概略的に示す構成図である。
【図８】親器の外観を説明する図であり、図８（ａ）は平面図を、図８（ｂ）は上面図、又、図８（ｃ）は下面図を、各々、示している。
【図９】ベースを外側から見た概略的な平面図である。
【図１０】従来の小勢力端子の構成を概略的に示す分解斜視図である。
【符号の説明】
１           小勢力端子
２           端子台収容窓孔部
２ｂ         区画壁空間
２ｈ１       ネジ挿入孔
２ｈ２       ネジ受部
３           端子台回路基板
４           係止爪
５           押圧突片
６           回路基板
Ｂ           ベース
Ｃ           カバー
Ｃｈ         ネジ挿入孔
Ｊ           ジョイント線
ｓ           導電端子台
ｖ１         接続ネジ
ｖ２、ｖ３   止めネジ
【図１】
0003570168.tif 000002
【図２】
0003570168.tif 000003
【図３】
0003570168.tif 000004
【図４】
0003570168.tif 000005
【図５】
0003570168.tif 000006
【図６】
0003570168.tif 000007
【図７】
0003570168.tif 000008
【図８】
0003570168.tif 000009
【図９】
0003570168.tif 000010
【図１０】
0003570168.tif 000011